(57)【要約】      （修正有）【課題】気体、液体、粉体等の作動体に含有されている磁性金属異物を効果的に、かつほぼ完全に除去する雫状バーマグネットを用いた磁性異物除去装置を提供する。【解決手段】本考案は磁性金属異物６を含む作動体５に雫状バーマグネット８を接触せしめて磁性金属異物６を磁着除去して作動体５を次工程側に送るようにした磁性異物除去装置であって、該装置は、雫状マグネット８とヨークを介して横並びに配設する雫状バーマグネット８を作動体５に接触せしめる構造体からなり、雫状マグネット８は下方側に半円部がありこれに下部を接して左右から安息角又はそれ以上の傾斜角θで互いに立ち上がり山型部を形成する形状のものからなる。【選択図】図４
0003216936.tif 000002
【実用新案登録請求の範囲】
【請求項１】
気体，液体，粉体等のいずれか又は混体からなる作動体に含まれている磁性金属異物を磁着除去するための金属異物除去装置であって、該装置は、雫状マグネットとヨークを介して横並びに配設する雫状バーマグネットを前記作動体に接触せしめる構造体からなり、前記雫状マグネットは下方側に半円部がありこれに下部を接して左右から安息角又はそれ以上の傾斜角θで互いに立ち上がり山型部を形成する形状のものからなることを特徴とする雫状バーマグネットを用いた磁性異物除去装置。
【考案の詳細な説明】
【技術分野】
【０００１】  本考案は、気体，液体，粉体等に含有している磁性金属異物を効果的に除去する形態の雫状バーマグネットを用いた磁性異物除去装置に関する。
【背景技術】
【０００２】  作動体内の磁性金属異物を除去する装置としては従来より各種のものがあり、本考案の出願人もこれに関する発明や考案を数多く出願し、登録されている。しかしながらこれ等の装置に使用されるバーマグネットとしては大部分が円形状のものであり、雫状のものは公知技術としてはない。また、雫状に限らずバーマグネットを複数本配置したものも少なく、例えば「特許文献１」の如きものがある。
【先行技術文献】
【特許文献】
【０００３】
【特許文献１】実用新案登録第３０７５６２０号（図１）  このものは円形状のバーマグネットを横並びに複数個配列すると共にこのものを数段（図示では３段）上下に配置し、その間にスペーサ（４）と吸着部（５）を配置したものである。従って、複数のバーマグネットを使用している点において本考案と似ている所もあるがこのものの目的は装置内部において金属同士が接着するものを防止する事を主目的としているものであり、本考案の目的とは大きく相異するものである。
【考案の概要】
【考案が解決しようとする課題】
【０００４】  磁性金属異物の除去装置としては作動体に含有されている磁性金属異物を効果的に出来れば安全に除去することが望ましい。そのためには本考案と同一の出願人が考案した雫状マグネットを使用することが最も望ましいがこれをバーマグネットとして細長に形成したものは公知技術として存在していない。【０００５】  本考案は以上の事情に鑑みて創案し出願するものであり、導入された作動体内の磁性金属異物を効果的にほぼ完全に除去するように構成された雫状バーマグネットを用いた磁性異物除去装置を提供することを目的とする。
【課題を解決するための手段】
【０００６】  本考案は以上の目的を達成するために請求項１の考案は、気体，液体，粉体等のいずれか又は混体からなる作動体に含まれている磁性金属異物を磁着除去するための金属異物除去装置であって、該装置は、雫状マグネットとヨークを介して横並びに配設する雫状バーマグネットを前記作動体に接触せしめる構造体からなり、前記雫状マグネットは下方側に半円部がありこれに下部を接して左右から安息角又はそれ以上の傾斜角θで互いに立ち上がり山型部を形成する形状のものからなることを特徴とする。
【考案の効果】
【０００７】  本考案の請求項１の雫状バーマグネットを用いた磁性異物除去装置によれば、丸型バーマグネットと異なり作動体の堆積がなく磁性金属異物の磁着効果のある雫状バーマグネットを作動体に接触せしめることにより磁性金属異物の磁着除去が効果的に行われる。
【図面の簡単な説明】
【０００８】
【図１】雫状バーマグネットの形状を示す正面図。
【図２】雫状バーマグネットの形状を示す断面図。
【図３】雫状マグネットによる傾斜体に含有している磁性金属異物の除去状態を示す模式的断面図。
【図４】本考案の１つの実施例を示す斜視図。
【図５】本考案の別の実施例を示す模式図。
【考案を実施するための形態】
【０００９】  以下、本考案の雫状バーマグネットを用いる磁性異物除去装置１００の実施の形態を図面で参照して詳述する。
【００１０】  図１は本考案に用いられる雫状マグネット１を示す。図示のように雫状マグネット１は下方側に半円弧部２を形成し、これに下方側を接して左右から傾斜して立ち上がり三角状の部分を形成する山型部３からなり、山型部３の頂部は作動体５が接触し易いように稜線部４が形成される。また、山型部３の傾斜面の傾斜角θは通常は安息角に形成されているがこれよりも大きい角度であってもよい。
【００１１】  図２は図１に示した雫状マグネット１とヨーク１１を介して横並びに配置した雫状バーマグネット８を示す。作動体５はヨーク１１や雫状マグネット１に接して磁性金属異物６を磁着除去される。
【００１２】  図３は作動体５に含まれている磁性金属異物６が雫状マグネット１（ヨーク１１を含む）により除去される状態を示す模式的断面図である。
導入路７から磁性金属異物６を含む作動体５は雫状マグネット１側に接触すると安息角θにより作動体５は雫状マグネット側に沿って下方に流れ、磁性金属異物６は雫状マグネット１（ヨーク１１を含む）に磁着して除去される。これにより排出路１０には磁性金属異物６の除去された作動体５のみが排出されることになる。
【実施例１】
【００１３】  図４は本考案の１つの実施例を示す。この装置は作動体５の導入路７と雫状バーマグネット８の収納される収納部９と排出路１０を有するものからなる。収納部９には本実施例では複数の雫状バーマグネット８が収納されているが図示のものに限定するものではない。
以上の構造の磁性金属異物除去装置は導入路７から導入された磁性金属異物６を有する作動体５が収納部９の雫状バーマグネット８に接触して磁性金属異物６を磁着除去され、排出路１０から磁性金属異物が除去された作動体５のみが排出さする状態を示すものである。
【実施例２】
【００１４】  図５は本考案の別の実施例の１つを示すものである。この実施例では液状の作動体５に雫状バーマグネット８を投入し作動体５に含まれている磁性金属異物６を磁着除去するものからなる。【００１５】    本考案は以上の説明の内容からなるが、この説明に限定するものではなく一般技術的範疇のものが適用されることは勿論である。また、この考案は雫状バーマグネット８を使用したものについて説明しているが別形態のバーマグネットについても適用される。
【産業上の利用可能性】
【００１６】  本考案は各種の作動体に適用されるものであり、その利用範囲は極めて広い。
【符号の説明】
【００１７】１      雫状マグネット
２      半円弧部
３      山型部
４      稜線部
５      作動体
６      磁性金属異物
７      導入路
８      雫状バーマグネット
９      収納部
１０    排出路
１１    ヨーク
１００  雫状バーマグネットを用いた磁性異物除去装置
【図１】
0003216936.tif 000003
【図２】
0003216936.tif 000004
【図３】
0003216936.tif 000005
【図４】
0003216936.tif 000006
【図５】
0003216936.tif 000007